(57)【要約】【課題】収納状態においても、ＡＶ機能をコントロールするための各種操作ボタンを操作することができる操作装置を提供する。【解決手段】キートップ３１と操作ボタン３５と操作装置本体５とから構成され、表示装置１０に収納可能な操作装置であって、操作装置本体５の上面後方に配置されるキートップ３１を備えるとともに、上面前方に配置される操作ボタン３５とトラックパッド３３とを備え、操作ボタン３５とトラックパッド３３は、操作装置本体５が表示装置１０に収納された状態で、表示装置１０の前方へ露出するように配置されている。【選択図】図１
2007141112.tif 000002
【特許請求の範囲】
【請求項１】
複数の文字入力キーからなるキートップと、ＡＶ機能をコントロールするための操作ボタンと、前記キートップと前記操作ボタンが配置される操作装置本体とから構成され、表示装置に収納可能な操作装置であって、
前記操作装置本体は、その上面後方に配置される前記キートップを備えるとともに、上面前方に配置される前記操作ボタンとトラックパッドとを備え、
前記操作ボタンと前記トラックパッドは、前記操作装置本体が前記表示装置に収納された状態で、前記表示装置の前方へ露出するように配置されていることを特徴とする操作装置。
【請求項２】
複数の文字入力キーからなるキートップと、ＡＶ機能をコントロールするための操作ボタンと、前記キートップと前記操作ボタンが配置される操作装置本体とから構成され、表示装置に収納可能な操作装置であって、
前記操作装置本体は、その上面後方に配置される前記キートップを備えるとともに、上面前方に配置される前記操作ボタンとトラックパッドとを備え、
前記操作装置本体は、その正面に配置された第１の記録媒体挿入口と第２の記録媒体挿入口とを備え、
前記操作ボタンと前記トラックパッドは、前記操作装置本体が前記表示装置に収納された状態で、前記表示装置の前方へ露出するように配置され、
前記操作ボタンは、前記２つの記録媒体挿入口の何れか一方の近傍に配置されることを特徴とする操作装置。
【請求項３】
請求項１または請求項２に記載の操作装置において、
前記操作装置本体は、内部に記録再生装置を備え、
前記操作ボタンは、前記記録再生装置を操作するための走行系ボタンであることを特徴とする操作装置。
【請求項４】
請求項３に記載の操作装置において、
前記記録再生装置は、光学ドライブであることを特徴とする操作装置。
【請求項５】
請求項２に記載の操作装置において、
前記２つの記録媒体挿入口の一方は光ディスクの挿入口であり、他方はメモリカードの挿入口であることを特徴とする操作装置。
【発明の詳細な説明】
【技術分野】
【０００１】
本発明は、情報処理装置の操作装置に関するものであり、特に、使用者が手元であらゆる操作を行うことができる操作装置に関する。
【背景技術】
【０００２】
近年、テレビやＤＶＤなどの画像情報を視聴可能なＡＶ統合型パソコンが見受けられるようになっている。このようなＡＶ統合型パソコンにおいては、キーボードなどの操作装置にＡＶ機能をコントロールするための各種操作ボタンを配置することが一般的である。そして、このような操作装置においては、不使用時に表示装置の下方へ収納されるようになっているものもある（例えば、下記特許文献１参照）。
【０００３】
【特許文献１】特開２００１−４２９７０号公報
【発明の開示】
【発明が解決しようとする課題】
【０００４】
上記従来の操作装置においては、表示装置の下方へ収納することにより、机上のスペースを有効に使うことが可能となっている。
しかしながら、上記従来の操作装置においては、操作装置の収納に伴い、ＡＶ機能をコントロールするための各種操作ボタンも収納されることになる。このため、収納状態においては、これらの操作ボタンを操作できないという課題があった。
そこで、本発明の目的とするところは、表示装置に収納された状態においても、ＡＶ機能をコントロールするための各種操作ボタンを操作することができる操作装置を提供することにある。
【課題を解決するための手段】
【０００５】
前記目的を達成するため、本発明に係る操作装置は、複数の文字入力キーからなるキートップと、ＡＶ機能をコントロールするための操作ボタンと、前記キートップと前記操作ボタンが配置される操作装置本体とから構成され、表示装置に収納可能な操作装置であって、前記操作装置本体は、その上面後方に配置される前記キートップを備えるとともに、上面前方に配置される前記操作ボタンとトラックパッドとを備え、前記操作ボタンと前記トラックパッドは、前記操作装置本体が前記表示装置に収納された状態で、前記表示装置の前方へ露出するように配置されている。
【発明の効果】
【０００６】
本発明によれば、表示装置に収納された状態においても、ＡＶ機能をコントロールするための各種操作ボタンを操作することができる操作装置を提供することができる。
【発明を実施するための最良の形態】
【０００７】
以下、図１から図７を参照して、この発明に係る実施形態を説明する。図１から図６は第１の実施形態を示し、図７は第２の実施形態を示す。なお、同一部分は同一符号をもって示し、重複した説明を省略する。
（第１の実施形態）
図１から図４を参照して本発明の第１の実施形態に係る情報処理装置を説明する。
先ず、図１を参照して、本発明の第１の実施形態に係る遠隔操作装置を備えた情報処理装置の概略構造を説明する。図１は本発明の第１の実施形態に係る情報処理装置の構成図であり、図１（ａ）はシステム構成図、図１（ｂ）は遠隔操作装置を収納した状態の平面図である。
【０００８】
図１（ａ）において、符号１で総括的に示すのは、この実施形態に係る情報処理装置であり、情報処理装置１は、表示装置１０と、情報処理装置本体２０と、遠隔操作装置３０とから構成されている。表示装置１０と情報処理装置本体２０は、ケーブルを介して接続され、情報処理装置本体２０と遠隔操作装置３０は、赤外線あるいは無線によりそれぞれ接続されるようになっている。
【０００９】
この実施形態では、遠隔操作装置３０により入力された操作信号を、情報処理装置本体２０の内部に設けられた制御部（ＣＰＵ）に赤外線通信あるいは無線通信により送信することで、制御部が操作信号を受け付け、この操作信号に伴う動作を情報処理装置２０で処理するとともに、処理結果を表示装置１０あるいは遠隔操作装置３０へ表示するようになっている。
【００１０】
表示装置１０は、画像が表示される画像表示部１１と音声を出力するスピーカ部１２とを備えた表示装置本体１３と、この表示装置本体１３を支持するスタンド部１４とで構成され、スタンド部１４は、遠隔操作装置３０を収納する収納部１５と、保持部１６とを備えている。
【００１１】
情報処理装置本体２０は、薄型の縦長長方形を基調とした扁平な外観を備えるとともに、内部に制御部（ＣＰＵ）や大容量の記録媒体等を備え、設置する際には、本体下方がスタンド部２１で支持されるようになっている。
【００１２】
遠隔操作装置３０は、主に文字や数字等を入力するキートップ３１と、主に情報処理装置２０の動作モードを切り換えるファンクションボタン３２と、主に画面表示部１１に表示されるカーソルの移動や各種コンテンツの選択を行うトラックパッド３３と、主に選択したコンテンツを実行（決定）する一対のクリックボタン３４とを備えるとともに、主にＣＤやＤＶＤ等の各種記録媒体への記録再生を行うための操作ボタン３５と、電源のオンオフを行う電源ボタン３６とを備え、これらの操作手段は操作装置本体５に配置されている。また、トラックパッド３３はタッチパネル式の表示部を備えており、この表示部は、液晶あるいは有機ＥＬなどで構成されている。
【００１３】
そして、この情報処理装置１の大きな特徴の一つは、情報処理装置１を表示装置１０と情報処理装置本体２０と遠隔操作装置３０とから構成し、この情報処理装置１の各種の操作および入力手段を前記遠隔操作装置３０に配置した点にある。従来の情報処理装置１では、ＤＶＤやＣＤなどの記録媒体を挿入する挿入口を備えた記憶装置を情報処理装置本体２０に設けることが一般的である。このため、情報処理装置本体２０を使用者が使いやすい位置に設置しなければならず、設置性に課題がある。また、近年、表示装置の前面に記録媒体を挿入する挿入口を備えた記憶装置を備えたものがあるが、記録媒体の交換時は表示装置まで行かなければならない。
【００１４】
この実施の形態では、これら記録媒体を挿入する挿入口を備えた記憶装置や各種の入力及び操作装置を遠隔操作装置３０に備えることで、情報処理装置本体２０をブラックボックス化できるので、使用者の目に触れない位置に設置しても使い勝手を損なうことなく、かつ設置スペースを小さくすることができる。しかも、この実施の形態では、情報処理装置本体２０を表示装置１０と分離する構造としているため、情報処理装置本体２０を目に触れない位置に設置することが可能であるため、情報処理装置本体２０に複数の増設ボードを格納するスペースを確保しても設置性を改善できる。
【００１５】
この情報処理装置１の他の大きな特徴の一つは、遠隔操作装置３０に文字入力を行うキートップ３１を備えるとともに、表示装置１０に遠隔操作装置３０を収納する収納部１５を設け、遠隔操作装置３０を前記収納部１５に収納した第１の状態では、前記キートップ３１を隠蔽するとともに記録媒体の挿入口やこの記録媒体の記録／再生の操作スイッチなどを露出させるようにした点である。
【００１６】
即ち、この実施の形態では、遠隔操作装置３０の一方側にキートップ３１を備え、他方側に、トラックパッド３３、クリックボタン３４、ＣＤやＤＶＤ等の光ディスク、メモリカード等の各種記録媒体への記録再生を行う記録再生装置の記録媒体の挿入口（図２参照）、この記録再生装置を操作するための操作ボタン３５を設けている。したがって、図１（ｂ）で示すように、この遠隔操作装置３０を表示装置１０に収納した第１の状態では、不要なキートップ３１を隠蔽しても、トラックパッド３３とクリックボタン３４、操作ボタン３５を操作でき、かつ、遠隔操作装置３０を取り出すことなく記録媒体の着脱を行うことができる。
【００１７】
このように、この実施の形態によれば、遠隔操作装置３０を使用しないときには、表示装置１０に収納することができるので、遠隔操作装置３０の設置スペースを小さくすることができる。加えて、遠隔操作装置は図１（ｂ）で示すように、キートップ３１およびファンクションキー３２のみを覆うように表示装置１０へ収納されるので、キートップ３１やファンクションキー３２を使用しない場合でも、トラックパッド３３とクリックボタン３４、操作ボタン３５が露出するので、第１の状態においても操作部を操作できるようになっている。例えば、ＣＤに記録された音楽情報を再生する場合には、遠隔操作装置３０の手前側に配置された操作ボタン３５を操作することで、第１の状態において音楽情報の再生や停止、早送りや巻き戻し、音量調整、ＣＤの出し入れを行うことができるので、使い勝手を向上させることができる。また、音楽情報の再生時には、トラックパッド３３に曲番や曲名、演奏時間等を表示することができるので、動作状態の確認を容易に行うことができる。さらに、遠隔操作装置３０にキートップ３１やトラックパッド３３、操作ボタン３５等の操作装置や記録再生装置を集中的に配置しているので、表示装置１０から引き出した状態（第２の状態）では、使用者の手元であらゆる操作を行うことが可能となる。
【００１８】
また、この情報処理装置１の他の大きな特徴の一つは、遠隔操作装置３０を収納した状態で遠隔操作装置３０の充電を行うことができる点に大きな特徴を備えている。
これにより、収納状態では常に遠隔操作装置３０の充電を行うことができるので、遠隔操作装置３０を引き出した状態（第２の状態）で長時間使用しても、電力の消費により赤外線通信や無線通信ができなくなることを軽減することができる。また、遠隔操作装置３０を収納した状態では充電が行われることから、例えば、ＣＤに記録された音楽情報の再生を長時間できるようになる。
【００１９】
次に、図２を参照して、この情報処理装置１の内部装置を説明する。図２は本発明の実施形態に係る情報処理装置の装置ブロック図である。
図２において、この実施形態では、制御部（ＣＰＵ）２０１が、遠隔操作装置３０から送信された操作指示信号を情報処理装置本体２０で受信し、この受信した操作指示信号に基づいて、情報処理装置１を統括的に制御するようになっている。
表示装置１０は、画像表示部１１とスピーカ１２、操作装置充電端子（第２の充電端子）４８、電源１２１、表示機マイコン１２２とを備えており、各種装置は表示機マイコン１２２により制御されるようになっている。
【００２０】
第２の充電端子４８は、遠隔操作装置３０が表示装置１０に収納された際に、遠隔操作装置３０と接続され、ＡＣ電源（コンセント）１２０および電源１２１から供給される電力により、遠隔操作装置３０の充電を行うようになっている。
【００２１】
情報処理装置本体２０は、制御部２０１とメモリ２０２、ＨＤＤ（ハードディスク装置）２０３、送受信コントローラ２０４、バスコントローラ２０５、チューナー２０６、ネットワークコントローラ２０７、画像処理装置２０８、音声処理装置２０９を備えており、これらの各種装置を図示しないメイン基板と接続することにより、チップセット２１０が構成されている。また、チップセット２１０には、電源２１５が接続されており、この電源２１５およびＡＣ電源（コンセント）２１６から情報処理装置１に電力が供給されるようになっている。
【００２２】
バスコントローラ２０５は、制御部２０１からの指令に基づき、表示装置１０に設けられた画像表示部１１に表示する画像情報やスピーカ１２から出力する音声情報などを、画像処理装置２０８および音声処理装置２０９へ送信するようになっている。
【００２３】
画像処理装置２０８は、制御部２０１からの指令に基づいて画像情報を処理するものであり、音声処理装置２０９は、制御部２０１からの指令に基づいて音声情報を処理するものである。そして、処理された画像情報は画像表示部１１、音声情報はスピーカ１２から出力されるようになっている。また、バスコントローラ２０５には、地上波や衛星放送波、有線放送波などの放送波を受信するチューナー２０６と、主にネットワーク回線を接続するためのネットワークコントローラ２０７が接続されている。
【００２４】
ＨＤＤ２０３には、この情報処理装置本体２０を動作させるＯＳが格納されており、電源がオンの状態で制御部２０１がＯＳを立ち上げ、各種の処理を実行するようになっている。また、ＨＤＤ２０３には、各種のコンテンツが格納されているとともに、アンテナ２１１とチューナー２０６を介して受信した放送波やネットワーク回線を通じて入手した各種の情報を格納できるようになっている。なお、上記放送波やネットワーク回線を通じて入手した各種の情報は、メモリに格納するようにしてもよい。
【００２５】
遠隔操作装置３０は、マイコン３０１と送受信コントローラ３０２、キートップ３１、操作ボタン３０３、表示部３０４、トラックパッド３３、音声処理装置３０５、外部インターフェイス３０６、記録再生装置３０７、マイク３０８、充電池３１５、第１の充電端子４５とを備えており、マイコン３０１がこの遠隔操作装置３０を統括的に制御するようになっている。
【００２６】
送受信コントローラ３０２は、キートップ３１や操作ボタン３０３、トラックパッド３３等の入力装置により入力された操作信号を情報処理装置本体２０に送信したり、情報処理装置本体２０から送信された信号を受信するものであり、信号の送受信は送受信コントローラ２０４と双方向で行われるようになっている。また、表示部３０４は、液晶や有機ＥＬ等で構成されたタッチパネル式の表示部であり、トラックパッド３３と一体に形成されている。
【００２７】
操作ボタン３０３は、ファンクションボタン３２や一対のクリックボタン３４、走行系ボタン３５、電源ボタン３６等であり、ファンクションボタン３２は、複数の操作ボタン
で構成されている。この実施形態では、ファンクションボタン３２が複数のモード選択ボタン、例えば、ＰＣモード選択ボタン３２ａと、ＴＶモード選択ボタン３２ｂと、記録再生装置選択ボタン３２ｃと、スライド（写真）モード選択ボタン３２ｄとで構成されている。
【００２８】
この実施形態においては、記録再生装置選択ボタン３２ｃを操作することにより、遠隔操作装置３０を記録再生装置として使用することができる点に大きな特徴がある。これにより、従来、情報処理装置本体２０に設けられていた記録再生装置を使用者の手元で操作することができるので、使い勝手を向上させることができる。これに伴い、情報処理装置本体２０を表示装置１０および遠隔操作装置３０の近傍に設置する必要がなくなるので、情報処理装置１を周囲の環境に合わせて自由にレイアウトすることができる。なお、その他の動作モードについては、モード選択ボタンの操作により従来技術と同様の動作を行うため、詳細な説明を省略する。
【００２９】
音声処理装置３０５は、主に記録再生装置から出力される音声情報を処理するものであり、処理された音声情報は情報処理装置本体２０を介して、表示装置１０に設けられたスピーカ１２あるいは別途接続したヘッドホン３１０から出力されるようになっている。
【００３０】
外部インターフェイス３０６は、ＰＣカードやネットワーク回線、ＵＳＢメモリ等の外部機器を接続するための外部接続端子であり、この外部接続端子を介して入手した各種の情報は、赤外線通信や無線通信により情報処理装置本体２０に送信され、表示装置１０で表示できるようになっている。
【００３１】
第１の充電端子４５は、遠隔操作装置３０を表示装置１０に収納された状態で第２の充電端子４８と接続されるともに、ＡＣ電源（コンセント）１２０および電源１２１から供給される電力により、充電池３１５が充電されるようになっている。
【００３２】
次に、図３および図４を参照して、遠隔操作装置３０の外観構成および使用状態について説明する。図３は本発明の第１の実施形態に係る遠隔操作装置の外観図であり、図３（ａ）が右前方斜視図、図３（ｂ）が左前方斜視図、図３（ｃ）が中央縦断面図である。図４は本発明の第１の実施形態に係る遠隔操作装置の使用状態を示す図であり、図４（ａ）が右前方斜視図、図４（ｂ）が右後方斜視図である。
【００３３】
図３において、遠隔操作装置３０は、横長直方体を基調とした薄型扁平の本体形状を備え、その上面に配置されたキートップ３１とファンクションボタン３２、トラックパッド３３、クリックボタン３４、走行系ボタン３５、電源ボタン３６と、正面に配置された媒体挿入口３７と第１のカードスロット３８とを備えている。
【００３４】
走行系ボタン３５は、主に記録再生装置の操作を行う複数の操作ボタンで構成されている。この実施形態では、走行系ボタン３５が巻き戻しボタン３５ａ、再生／停止ボタン３５ｂ、早送りボタン３５ｃ、音量調整ボタン３５ｄ、３５ｅ、記録媒体取り出しボタン３６ｆで構成されている。また、キートップ３１は、本体上面から突出しないようにパームレスト６０とほぼ同一面となるように配置されている。
【００３５】
遠隔操作装置３０の右側面には２つの外部インターフェイス（ＵＳＢコネクタ）３０６、左側面には第２のカードスロット４１と外部インターフェイス（ＩＥＥＥ１３９４）４４、マイク端子４２、ヘッドホン端子４３が配置されている。
【００３６】
この実施の形態に係る遠隔操作装置３０では、薄型で扁平な本体形状の上面の後方にフルキーボードの配列を備えたキートップ３１を配置し、このキートップ３１の前側にパームレストとなる平面部を形成し、この平面部にトラックパッド３３、このトラックパッド３３の前側にクリックボタン３４を配置している。そして、走行系ボタン３５を前記クリックボタン３４とともに、遠隔操作装置３０の前端部の上部角部に配置し、更に、遠隔操作装置３０の前部に媒体挿入口３７と第１のカードスロット３８とを備えている。
【００３７】
このように、この実施の形態では、前記キートップ３１と他の操作ボタンなどを偏平な本体の前後に分けて配置しているので、前記第1の状態では少なくともキートップ３１を収納部１５内に収めても、他の操作ボタンを操作することができる。しかも、第２の状態では、遠隔操作装置３０を通常のキーボードとして使うことができる。
【００３８】
次に、遠隔操作装置３０の内部構成について説明する。記録再生装置４０は、遠隔操作装置３０の内部前方に配置され、媒体挿入口３７から、例えば、図４（ａ）で示すように、光ディスク等の記録媒体５０を挿入することにより、記録再生装置４０に記録媒体がセットされ、走行系ボタン３５を操作することにより、記録媒体に記録された情報を再生するようになっている。また、記録再生装置４０の上方にはトラックパッド３３が配置されている。
【００３９】
遠隔操作装置３０の内部後方の中央には、遠隔操作装置３０の充電を行うための充電端子４５が設けられており、遠隔操作装置３０を表示装置１０に収納することにより充電が行われるようになっている。また、図４（ｂ）で示すように、遠隔操作装置３０の底面には設置角度を調整するためのチルトスタンド４６が設けられており、使用者の好みに合わせて角度を調整できるようになっている。
【００４０】
次に、図５および図６を参照して、遠隔操作装置を表示装置に収納した第１の状態と表示装置から引き出した第２の状態について説明する。
【００４１】
図５は本発明の第１の実施形態に係る遠隔操作装置の第１の状態を示す図であり、図５（ａ）が斜視図、図５（ｂ）が中央断面図である。図６は本発明の実施形態に係る遠隔操作装置の第２の状態を示す図である。
【００４２】
図５において、遠隔操作装置３０は、表示装置１０の下方、即ち、スタンド部１４の前面に形成された収納部１５に収納されるとともに、遠隔操作装置３０の底面前方が保持部１６で保持されるようになっている。このような構成とすることで、遠隔操作装置３０を収納した第１の状態では、表示装置１０と一体に形成されたような形態とすることができるので、設置スペースを少なくすることができる。しかも、第１の状態において、記録再生装置４０を操作することができるので、使い勝手が良好で、かつ設置場所における作業空間を十分に確保することができる。また、遠隔操作装置３０を収納した第１の状態では、図５（ｂ）で示すように、第１の充電端子４５とスタンド部１４の後方に設けられた第２の充電端子４８とが接続され、遠隔操作装置３０の充電が行われるようになっている。
【００４３】
また、この実施の形態では、遠隔操作装置３０を収納部１５に収納した状態で、前記画像表示部１１の前面部より後方にキートップ３１が収まるように収納される。これにより、第１の状態でキートップ３１を隠蔽することができる。なお、この実施の形態では、第１の状態でキートップ３１を隠蔽するようにしているが、トラックパッド３３も隠蔽するようにしてもよい。
【００４４】
画像表示部１１とスタンド部１４は、チルト機構部１７を介して接続されており、このチルト機構部１７により画像表示部１１を任意の角度で調節できるようになっている。また、画像表示部１１は、内部に表示パネル１８とこの表示パネル１８の下方に配置されたスピーカ１２と液晶表示パネル１８の後方に配置された制御基板１９とを備え、表示パネル１８と制御基板１９は互いに平行となるように配置されている。
【００４５】
図６において、遠隔操作装置３０を表示装置１０から引き出した第２の状態においては、赤外線通信あるいは無線通信により情報のやり取りを行うため、図６（ａ）および図６（ｂ）で示すように、遠隔操作装置３０を赤外線通信あるいは無線通信が可能な範囲で使用することができるので、遠隔操作装置３０の使い勝手を向上させるとともに、設置の自由度を十分に持たせることができる。
（第２の実施形態）
次に、図７を参照して本発明の第２の実施形態に係る情報処理装置を説明する。図７は本発明の第２の実施形態に係る遠隔操作装置の第１の状態を示す図であり、図７（ａ）が斜視図、図７（ｂ）が中央断面図である。
【００４６】
図７において、遠隔操作装置３０は、表示装置１０の後方、即ち、バックカバー１００に形成された収納部１１０に収納されるようになっている。
遠隔操作装置３０を収納した第１の状態では、図７（ｂ）で示すように、第１の充電端子４５と収納部１１０の下方に設けられた第２の充電端子４８とが接続され、遠隔操作装置３０の充電が行われるようになっている。
画像表示部１１は、内部に表示パネル１８とこの表示パネル１８の下方に配置されたスピーカ１２と表示パネル１８の後方に配置された制御基板１９とを備え、表示パネル１８と制御基板１９は互いに平行となるように配置されている。加えて、遠隔操作装置３０は、
表示パネル１８および制御基板１９と平行になるように収納部１１０に収納されるようになっている。
【００４７】
このような構成とすることにより、第１の実施形態と同様の効果を得ることができる。これに加え、第２の実施形態においては、遠隔操作装置３０を表示装置１０の背面に収納することから、設置の際は表示装置１０を設置することができるスペースのみ確保すれば良いので、設置の自由度を更に向上させることができる。
【００４８】
なお、前記した実施の形態では、遠隔操作装置３０を情報処理装置本体２０を赤外線または無線で接続するようにしているが、情報処理装置本体２０に赤外線または無線の受光部または受信部を備えるようにしても良い。また、情報処理装置本体２０を表示装置１０の筐体内に設けるようにしても良い。更に、遠隔操作装置３０を、情報処理装置本体２０または表示装置１０とコードを介して接続するようにしてもよい。特に、記録媒体の記録再生をコードを介して行い、他の操作及び入力操作を赤外線または無線で接続するようにしてもよい。
【００４９】
このように、この実施の形態に係る情報処理装置は、各種の画像を表示する表示装置と、前記表示装置にコードを介して接続され、前記表示装置に表示される画像の画像処理を実行する制御装置と記憶装置を備えた情報処理装置本体と、前記情報処理装置本体または前記表示装置と無線または赤外線信号を介して接続されて入力操作を行う遠隔操作装置とを備え、前記表示装置は、前記遠隔操作装置を収納する収納部を備え、前記遠隔操作装置は、偏平な本体の上面後方に文字入力を行うフルキーボードを備え、偏平な本体の前部に着脱可能な記録媒体の記録再生を行う補助記憶装置の記録媒体着脱口と、この補助記憶装置の記録再生操作を行う操作スイッチを備え、前記収納部は、遠隔操作装置を収納した状態で、前記フルキーボードを隠蔽するようにしている。
【００５０】
また、この実施の形態に係る他の情報処理装置は、１つの筐体内に表示装置と制御装置と記憶装置を備えた情報処理装置本体と、この情報処理装置と無線または赤外線信号を介して接続して入力操作を行う遠隔操作装置を備え、情報処理装置本体は、前記遠隔操作装置を収納する収納部を備え、前記遠隔操作装置は、偏平な本体の上面後方に文字入力を行うフルキーボードを備え、偏平な本体の前部に着脱可能な記録媒体の記録再生を行う補助記憶装置の記録媒体着脱口と、この補助記憶装置の記録再生操作を行う操作スイッチを備え、前記収納部は、遠隔操作装置を収納した状態で、前記フルキーボードを隠蔽するようにする。
【図面の簡単な説明】
【００５１】
【図１】本発明の第１の実施形態に係る情報処理装置の構成図である。
【図２】本発明の実施形態に係る情報処理装置の装置ブロック図である。
【図３】本発明の実施形態に係る遠隔操作装置の外観図である。
【図４】本発明の実施形態に係る遠隔操作装置の使用状態を示す図である。
【図５】本発明の第１の実施形態に係る遠隔操作装置の第１の状態を示す図である。
【図６】本発明の実施形態に係る遠隔操作装置の第２の状態を示す図である。
【図７】本発明の第２の実施形態に係る遠隔操作装置の第１の状態を示す図である。
【符号の説明】
【００５２】
１…情報処理装置、５…操作装置本体、１０…表示装置、１１…画像表示部、１２…スピーカ、１３…表示装置本体、１４…スタンド部、１５…収納部、１６…保持部、１７…チルト機構部、１８…液晶表示パネル、１９…制御基板、２０…情報処理装置本体、２１…スタンド部、３０…遠隔操作装置、３１…キートップ、３２…ファンクションボタン、３３…トラックパッド、３４…クリックボタン、３５…走行系ボタン、３６…電源ボタン、３７…媒体挿入口、３８…第１のカードスロット、４０…記録再生装置、４１…第２のカードスロット、４２…マイク端子、４３…ヘッドホン端子、４４…外部インターフェイス４５…第１の充電端子、４６…チルトスタンド、４８…第２の充電端子、５０…記録媒体、６０…パームレスト、１００…バックカバー、１１０…収納部、１２０…ＡＣ電源、１２１…電源、、１２２…表示機マイコン、２０１…制御部、２０２…メモリ、２０３…ＨＤＤ（ハードディスク装置）、２０４…送受信コントローラ、２０５…バスコントローラ、２０６…チューナー、２０７…ネットワークコントローラ、２０８…画像処理装置、２０９…音声処理装置、２１０…チップセット、２１１…アンテナ、２１５…電源、２１６…ＡＣ電源、３０１…マイコン、３０２…送受信コントローラ、３０３…操作ボタン、３０４…表示部、３０５…音声処理装置、３０６…外部インターフェイス、３０７…記録再生装置、３０８…マイク、３１０…ヘッドホン、３１５…充電池。
【図１】
2007141112.tif 000003
【図２】
2007141112.tif 000004
【図３】
2007141112.tif 000005
【図４】
2007141112.tif 000006
【図５】
2007141112.tif 000007
【図６】
2007141112.tif 000008
【図７】
2007141112.tif 000009